(57)【特許請求の範囲】
【請求項１】
入射する熱線量の時間変化に応じた出力を発生する微分形のセンサ素子を有し人体から放射される熱線を検知することにより人の存否を検出する人感センサを備えトイレ室の天井に取り付けられる子器と、子器に信号線を介して接続されトイレ室の壁面に取り付けられる親器とを備え、親器には人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素と、照明負荷と換気扇との少なくとも一方の制御状態を操作する操作部とが設けられ、子器は、センサ素子の前方に配置され検知エリア内の各領域ごとの熱線をセンサ素子に収束させる多数個のレンズ小体の集合体からなるレンズを備え、隣接する各一対のレンズ小体の光軸同士の開き角度がレンズの一部の領域で残りの領域よりも小さく設定されていることを特徴とするトイレ用熱線式自動スイッチ。
【請求項２】
前記レンズはセンサ素子の受光面を囲む半球状に形成され、隣接する各一対のレンズ小体の光軸同士の開き角度が、センサ素子の受光面の前方であるレンズの中心部付近の領域ではレンズの周辺部付近である他の領域よりも小さく設定されていることを特徴とする請求項１記載のトイレ用熱線式自動スイッチ。
【請求項３】
人体から放射される熱線を検知することにより人の存否を検出する人感センサを備えトイレ室の天井に取り付けられる子器と、子器に信号線を介して接続されトイレ室の壁面に取り付けられる親器とを備え、親器には人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素と、照明負荷と換気扇との少なくとも一方の制御状態を操作する操作部とが設けられ、第１のスイッチ要素は照明負荷である白熱灯への給電経路に挿入された半導体スイッチ素子よりなり、制御手段は、照明負荷の点灯開始時に時間経過に伴って光出力を漸増させるように第１のスイッチ要素を制御することを特徴とするトイレ用熱線式自動スイッチ。
【請求項４】
人体から放射される熱線を検知することにより人の存否を検出する人感センサと、人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素とを、トイレ室の壁面に取り付けられる器体内に備え、第１のスイッチ要素は照明負荷である白熱灯への給電経路に挿入された半導体スイッチ素子よりなり、制御手段は、照明負荷の点灯開始時に時間経過に伴って光出力を漸増させるように第１のスイッチ要素を制御することを特徴とするトイレ用熱線式自動スイッチ。
【請求項５】
人体から放射される熱線を検知することにより人の存否を検出する人感センサと、人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素とを、トイレ室の壁面に取り付けられる器体内に備え、第１のスイッチ要素は照明負荷である白熱灯への給電経路に挿入された半導体スイッチよりなり、制御手段は、人感センサによりトイレ室内への人の入室が検出された後に人の検出されない状態が規定の点灯保持時間に達するまでの期間は照明負荷を点灯させる照明制御信号を出力し、点灯保持時間の満了前に照明負荷の消灯を予告する減光期間を有するように第１のスイッチ要素を制御することを特徴とするトイレ用熱線式自動スイッチ。
【発明の詳細な説明】
【０００１】
【発明の属する技術分野】
本発明は、人体から放射される熱線を検知することによってトイレ室内における人の入室と退室とを検出し、トイレ室内に配置した照明負荷と換気扇とを制御するトイレ用熱線式自動スイッチに関するものである。
【０００２】
【従来の技術】
従来から、トイレ室内への人の入退室に応じて照明負荷を点灯させるとともに換気扇を運転するためにトイレ用熱線式自動スイッチが用いられている。この種のトイレ用熱線式自動スイッチは、人体から放射される熱線を検知する熱線センサ（一般に焦電形赤外線センサを用いる）を用いて人の存否を検出する人感センサを備え、人感センサの出力に基づいて人がトイレ室内に存在するか否かを判定している（トイレ用ではないが、バス・洗面ユニットにおける熱線式自動スイッチが特開平４−１９９９５号公報に記載されている）。
【０００３】
【発明が解決しようとする課題】
ところで、この種の熱線式自動スイッチとしては、照明負荷および換気扇を制御するためのスイッチ要素と人感センサとを一つの器体に収納し、その器体を天井面に取り付けたものが多く提供されている。このように、器体を天井面に取り付ける場合には、便座の上方に器体を配置するのが一般的であって、人が便座付近に存在する間には人を検知することができるから、比較的狭いトイレ室であればとくに問題は生じない。しかしながら、洗面台やバスを付設したような比較的広いトイレ室では、器体を便座上方に配置しているとトイレ室全体をカバーする検知エリアを設定することができない場合があり、トイレ室内に人が存在するにもかかわらず照明負荷が消灯するなどの不都合を生じることがある。
【０００４】
また、人感センサとスイッチ要素とを別の器体に収納する形態の熱線式自動スイッチも提供されてはいるものの、照明負荷のみを制御するように構成されており、人の入退室に応じたタイミングで照明負荷と換気扇とを制御するように構成したものは提供されていない。
【０００５】
本発明は上記事由に鑑みて為されたものであり、第１の目的は、人感センサとスイッチ要素とを一つの器体に備える構成であって壁面に器体を取り付けるようにして比較的広いトイレ室にも対応可能としたトイレ用熱線式自動スイッチを提供することにあり、第２の目的は、人感スイッチとスイッチ要素とを別の器体に備える構成であってトイレ室に適した制御を可能とするトイレ用熱線式自動スイッチを提供することにある。
【０００６】
【課題を解決するための手段】
請求項１の発明は、入射する熱線量の時間変化に応じた出力を発生する微分形のセンサ素子を有し人体から放射される熱線を検知することにより人の存否を検出する人感センサを備えトイレ室の天井に取り付けられる子器と、子器に信号線を介して接続されトイレ室の壁面に取り付けられる親器とを備え、親器には人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素と、照明負荷と換気扇との少なくとも一方の制御状態を操作する操作部とが設けられ、子器が、センサ素子の前方に配置され検知エリア内の各領域ごとの熱線をセンサ素子に収束させる多数個のレンズ小体の集合体からなるレンズを備え、隣接する各一対のレンズ小体の光軸同士の開き角度がレンズの一部の領域で残りの領域よりも小さく設定されているものである。
【００１０】
請求項２の発明は、請求項１の発明において、前記レンズがセンサ素子の受光面を囲む半球状に形成され、隣接する各一対のレンズ小体の光軸同士の開き角度が、センサ素子の受光面の前方であるレンズの中心部付近の領域ではレンズの周辺部付近である他の領域よりも小さく設定されているものである。
【００１１】
請求項３の発明は、人体から放射される熱線を検知することにより人の存否を検出する人感センサを備えトイレ室の天井に取り付けられる子器と、子器に信号線を介して接続されトイレ室の壁面に取り付けられる親器とを備え、親器には人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素と、照明負荷と換気扇との少なくとも一方の制御状態を操作する操作部とが設けられ、第１のスイッチ要素が照明負荷である白熱灯への給電経路に挿入された半導体スイッチ素子よりなり、制御手段が、照明負荷の点灯開始時に時間経過に伴って光出力を漸増させるように第１のスイッチ要素を制御するものである。
【００１３】
請求項４の発明は、人体から放射される熱線を検知することにより人の存否を検出する人感センサと、人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素とを、トイレ室の壁面に取り付けられる器体内に備え、第１のスイッチ要素が照明負荷である白熱灯への給電経路に挿入された半導体スイッチ素子よりなり、制御手段が、照明負荷の点灯開始時に時間経過に伴って光出力を漸増させるように第１のスイッチ要素を制御するものである。
【００１４】
請求項５の発明は、人体から放射される熱線を検知することにより人の存否を検出する人感センサと、人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素とを、トイレ室の壁面に取り付けられる器体内に備え、第１のスイッチ要素が照明負荷である白熱灯への給電経路に挿入された半導体スイッチ素子よりなり、制御手段が、人感センサによりトイレ室内への人の入室が検出された後に人の検出されない状態が規定の点灯保持時間に達するまでの期間は照明負荷を点灯させる照明制御信号を出力し、点灯保持時間の満了前に照明負荷の消灯を予告する減光期間を有するように第１のスイッチ要素を制御するものである。
【００１５】
【発明の実施の形態】
（第１の実施の形態）
本実施形態におけるトイレ用熱線式自動スイッチは、図１に示すように、トイレ室の壁面に取り付けることができる器体１に人感センサ１２（図２参照）およびスイッチ要素を設けたものである。
【００１６】
まず、トイレ用熱線式自動スイッチの回路構成について説明する。すなわち、図２に示すように、商用電源が接続される電源端子Ｓ１と、照明負荷が接続される第１の出力端子Ｓ２と、換気扇が接続される第２の出力端子Ｓ３とを備える。電源端子Ｓ１に接続される商用電源は、定電圧回路１１において整流されるとともに安定化され直流定電圧を出力する。この定電圧回路１１から内部回路の電源が供給されることになる。
【００１７】
トイレ室内の人の存否は熱線センサ（焦電形赤外線センサを用いる）を備えた人感センサ１２により検出される。焦電形赤外線センサは微分形のセンサであって、受光した熱線量の変化に応じた振幅の出力電圧を発生させるものであり、熱線センサの出力電圧に規定の閾値以上の変化が生じると人感センサ１２からはパルス状の検知信号が出力されるようになっている。また、人感センサ１２に用いる焦電形赤外線センサは、人が視野内に存在していても動きがなく熱線量に変化が生じなければ出力電圧が得られないから、人に動きがなければ検知信号は得られない。つまり、検知信号が得られるときにだけ照明負荷を点灯させる構成とすると人の動きが止まったときには人が熱線センサの視野内に存在するにもかかわらず照明負荷が消灯することになって不都合である。そこで、検知信号の発生毎に検知信号の発生時点から所定の点灯保持時間を時限するタイマ１０ａを設けるとともに、タイマ１０ａの時限動作中には照明負荷の点灯を継続させる構成が採用されている。つまり、タイマ１０ａは検知信号によってトリガされると時限動作を行い、かつ再トリガ可能に構成されている。
【００１８】
タイマ１０ａは制御手段としてのマイコン１０により構成され、このマイコン１０にはタイマ１０ａによる点灯保持時間を調節するための可変抵抗器よりなる保持時間設定部１３も接続される。保持時間設定部１３ではタイマ１０ａの時限時間を１０秒程度から６分程度の範囲で調節することが可能になっている。さらに、マイコン１０には周囲の明るさを検出する明るさセンサ１４が接続され、明るさセンサ１４によって検出される周囲照度が規定値以上であるときには照明負荷の制御を無効にして、照明負荷を消灯状態に保つ。
【００１９】
マイコン１０では、人感センサ１２と明るさセンサ１４との出力に応じて開閉制御部１６，１７に照明制御信号および換気扇制御信号をそれぞれ与え、開閉制御部１６，１７を開閉させることにより照明負荷および換気扇を制御する。開閉部１６，１７はスイッチ要素を含み、スイッチ要素としては、３端子双方向サイリスタ（トライアック）を用いており、電源端子Ｓ１と各出力端子Ｓ２，Ｓ３との間にそれぞれスイッチ要素が挿入してある。本実施形態では、照明負荷として白熱灯を用いるように構成してあり、照明負荷を制御する開閉部１６ではトライアックを位相制御することによって照明負荷の調光制御を可能としてある。具体的な動作については後述するが、照明負荷の点灯開始時に定格出力の１５％程度から立ち上げて時間経過とともに１００％まで光出力を漸増させるソフトスタート点灯と、点灯保持時間の満了前に設定した減光期間（６秒程度）に光出力を５０％に減光する予告点灯との動作が可能になっている。
【００２０】
ところで、明るさセンサ１４により検出される周囲照度に対する規定値は、明るさ設定スイッチ１５により複数段階（本実施形態では２段階）で選択される。また、明るさ設定スイッチ１５では明るさセンサ１４の出力を無効にする状態も選択可能になっている。さらに、マイコン１０にはモード切換スイッチ１８が接続され、人感センサ１２による人の検出に連動して両開閉部１６，１７を開閉させる自動モードと、人感センサ１２の出力とは無関係に両開閉部１６，１７をオフに保つ切モードと、人感センサ１２の出力とは無関係に両開閉部１６，１７をオンに保つ入モードとの３モードが選択可能になっている。
【００２１】
次に動作を説明する。いま、明るさ設定スイッチ１５では明るさセンサ１４により検出される周囲照度に応じて開閉部１６，１７を開閉させる状態が選択され、かつモード切換スイッチ１８では自動モードが選択されているものとする。この場合には、明るさセンサ１４により検出される周囲照度が明るさ設定スイッチ１５により設定されている規定値よりも低くなり周囲が暗くなると、人感センサ１２による人の検知の有無に応じて開閉部１６，１７が制御される。ただし、開閉部１７は換気扇の制御に用いるから、周囲照度には関係なく人感センサ１２による人の検知の有無に応じて制御される。
【００２２】
すなわち、図３（ａ）の左部に示すように周囲が暗いときには、人感センサ１２により人が検知された時点で開閉部１６が制御され、図３（ｂ）のように照明負荷は初期点灯レベル（定格点灯の１５％程度に設定される）から点灯を開始し、時間の経過とともに光出力が漸増するソフトスタート点灯を行って短時間（たとえば２．５秒）で１００％に達する。つまり、白熱灯の点灯時に生じる突入電流を抑制することができる。その後、タイマ１０ａにより設定されている点灯保持時間の間に人感センサ１２から検知信号の発生がなければ、点灯保持時間の満了前に設定された減光期間Ｔ３において照明負荷が予告減光レベル（定格点灯の５０％程度に設定される）になるように開閉部１６が制御される。減光期間Ｔ３にも人感センサ１２から検知信号が出力されなければ点灯保持時間の満了後に照明負荷は消灯する。また、換気扇を制御する開閉部１７は、図３（ｃ）のように人感センサ１２により人が検知された時点で制御されて換気扇の運転を開始させ、点灯保持時間が満了した時点、つまり開閉部１６がオフになった後も規定時間Ｔ２（たとえば５分）が経過するまで換気扇の運転を継続する。なお、この規定時間Ｔ２は固定的に設定されている。
【００２３】
また、図３の中央左に示すように、点灯保持時間Ｔ１の満了前に人感センサ１２により人が再度検知されると、タイマ１０ａの再トリガによって点灯保持時間Ｔ１が再び時限される。つまり、人の検知されない状態が点灯保持時間Ｔ１に達するまでは照明負荷は点灯状態を継続する。また、上述のように点灯保持時間の満了前に減光期間Ｔ３が設けられているから、照明負荷の光出力が予告減光レベルになったときには動きを大きくして人感センサ１２に検知信号を発生させるようにすれば、照明負荷の点灯状態を継続させることができる。この場合も点灯保持時間の満了後（照明負荷の消灯後）から規定時間Ｔ２は換気扇の運転状態が継続される。
【００２４】
図３の中央右に示すように、換気扇が規定時間Ｔ２において運転を継続している間に人感センサ１２により人が検知された場合には、換気扇が停止しているときと同様に動作し、照明負荷はソフトスタート点灯することになる。換気扇は点灯保持時間の満了後にも規定時間Ｔ３は運転を継続した後に停止する。要するに、換気扇が照明負荷の消灯後における運転中であっても、人が検知されると規定時間Ｔ３の時限が無効になり、通常の動作に移行するのである。
【００２５】
図３（ａ）の右部に示すように、周囲が明るいときには、人感センサ１２によって人が検知されても照明負荷を制御する開閉部１６は図３（ｂ）のようにオフに保たれる。ここに、図３（ｂ）において破線で示す期間は、人が検知されることによってタイマ１０ａが時限動作を行っている期間を示している。タイマ１０ａの時限動作は検知信号が発生した時点から開始され、タイマ１０ａの時限動作中に人感センサ１２から検知信号が再び発生するとタイマ１０ａは再トリガされる。つまり、タイマ１０ａの時限動作中に次の検知信号が得られる間はタイマ１０ａは時限動作を継続する。したがって、図３（ｃ）に破線で示す期間は、人がトイレ室に入室してから退室（人感センサによって人が検知されない状態が点灯保持時間だけ継続した時点）するまでの期間を示している。一方、換気扇を制御する開閉部１７は、図３（ｃ）のように、人がトイレ室に入室した時点でオンになり、人の退室後に規定時間Ｔ２が経過するとオフになる。
【００２６】
以上の動作が基本的な動作であるが、電源投入時には図４に示すように、電源投入から一定時間（たとえば３０秒）の不感期間Ｔ４を設けてあり、不感期間Ｔ４においては人感センサ１２で検知信号が発生しても無視するようになっている。また、電源投入時には人感センサによる検知がなくても、動作保持時間Ｔ１に一定時間を加算した時間は照明負荷を点灯させるようになっている。電源投入直後であっても不感期間Ｔ４が経過した後は図３に示した動作と同様である。
【００２７】
さらに、換気扇の運転中に周囲の明るさに変化が生じたときには、図５のように動作し、照明負荷は周囲が暗いときに人感センサ１２から発生した検知信号で点灯したのであれば、周囲が明るくなってからも検知信号によって点灯保持時間が再時限される間は点灯状態を維持する。また、換気扇は照明負荷の消灯から規定時間Ｔ２が経過するまでは運転を継続する。
【００２８】
なお、上述の例では明るさセンサ１４による周囲照度の検出に応じて動作を変化させる場合について説明したが、集合住宅などでトイレに窓がない場合には、周囲照度によらず人が入るときには照明負荷を点灯させる必要があるから、この場合には明るさ設定スイッチ１５によって明るさセンサ１４を無効とする。
【００２９】
次に、本実施形態の構造について説明する。本実施形態に用いる器体１は、合成樹脂成形品よりなるボディ２０とカバー３０とを結合して形成される。器体１は、ＪＩＳ規格で規格化されている大角形連用配線器具の３個用の取付枠（図示せず）に取り付けることができる大角形連用配線器具の３個モジュール寸法に形成されている。つまり、器体１は、埋込型の配線器具用の取付枠に３個まで連設して取り付けることができる単位寸法の埋込型の配線器具の３個分に相当する寸法に形成されている。したがって、取付枠に対して器体１を１個だけ取り付けることが可能である。
【００３０】
カバー３０の両側面には、配線器具用の取付枠への取付部として金属製の取付枠に形成された保持爪が係合する取付孔３１と、合成樹脂製の取付枠に形成された保持孔に係合する取付爪３２とが形成されている。カバー３０の周部の３箇所には後方に向かって後端部に結合爪３３ａを備えた組立脚３３が突設され、各組立脚３３はボディ２０の周部に穿孔された組立孔２１に挿入され結合爪３３ａが組立孔２１の周縁に係止されることによって、ボディ２０にカバー３０が結合される。
【００３１】
ボディ２０の内部空間には３区画の端子収納室２２が形成されている。また、ボディ２０の底面には先端面が弧状となった支持リブ２３が突設されている。上述した回路は印刷配線基板である２枚の回路基板４１，４２に実装される。一方の回路基板４１には人感センサ１２（図には人感センサ１２を構成する焦電形赤外線センサ１２ａを示している）および明るさセンサ１４が実装され、他方の回路基板４２には他の回路部分が実装される。回路基板４２の後面側には速結端子構造を有した３組の端子が実装され、各端子は端子収納室２２に納装される。各端子は、回路基板４２に実装した端子板（図示せず）と、端子板との間に電線を挟持することができるように帯状の板ばねを曲成して形成した鎖錠ばね４３と、鎖錠ばね４３による電線の保持状態を解除するために設けた解除釦４４とからなり、ボディ２０の底面に穿孔された電線挿通孔（図示せず）を通してボディ２０に挿入された電線を、鎖錠ばね４３のばね力によって鎖錠接続するように構成されている。また、ボディ２０の底面にはマイナスドライバなどの工具を挿入して解除釦４４を押すことができる釦操作孔（図示せず）が形成される。解除釦４４は押されると鎖錠ばね４３を端子板から引き離す向きに撓ませて電線の鎖錠状態を解除する。
【００３２】
ところで、支持リブ２３には回動枠５０が回動自在に載置される。回動枠５０は、円板状である一対の端板５１ａ，５１ｂを一対の側枠５２で連結した枠状に形成されている。カバー３０の前面には半円状に形成された一対の保持枠３４が突設され、回動枠５０の一方の端板５１ａは一方の保持枠３４の周壁の内周面と支持リブ２３の先端面との間に回動自在に保持される。また、他方の端板５１ｂは他方の保持枠３４の周壁の内周面と、カバー３０の両側壁の内周面間に架設されたばね性を有する金属製の支持棒３５との間で回動自在に保持される。
【００３３】
回動枠５０の一部には方向調節つまみ５０ａが突設され、方向調節つまみ５０ａを手で操作することにより、回動枠５０を回動させることができるようにしている。回動枠５０には回路基板４１が取着される。回路基板４１の長手方向の一端縁には固定用切欠４１ｂが形成され、他端縁には固定用突片４１ａが突設されている。回動枠５０の一方の端板５１ａには固定用切欠４１ｂに対応するボス５３が形成されており、また他方の端板５１ｂには固定用突片４１ａが挿入される支持孔５４が形成されている。したがって、固定用突片４１ａを支持孔５４に嵌合させ、固定用切欠４１ｂを通して固定ねじ５７を前記ボス５３に螺合させることにより、回路基板４１が回動枠５０に対して固定される。つまり、回路基板４１は回動枠５０と一体に回動する。回路基板４１には人感センサ１２および明るさセンサ１４が実装されているから、回動枠５０を器体１に対して回動させることによって検知エリアを調節することができる。上述した各回路基板４１，４３は接続線を介して互いに接続される。
【００３４】
回動枠５０において側枠５２よりも前面側にはフレネルレンズを用いたレンズ５５が端板５１ａ，５１ｂの周面に沿うように湾曲した形で装着されている。レンズ５５の両側縁には係合爪５６ａを先端部に備える結合脚５６が突設されており、各側枠５１ａ，５１ｂの内側面に形成された結合溝５１ｃに係合爪５６ａを係合させることによりレンズ５５が回転枠５０に結合される。レンズ５５は人感センサ１２および明るさセンサ１４の前方を覆うから、可視光線および熱線を透過させる材料により形成される。この種の材料としては、透光性を有する高密度ポリエチレンが適している。また、このレンズ５５はそれぞれ光軸を有するレンズ小体の集合体として形成されている。つまり、レンズ５５を複数の領域に分割し、各領域にそれぞれ光軸を持たせているのであって、このようなレンズ５５を用いることによって、人感センサ１２に用いる焦電形赤外線センサ１２ａの視野内に感度むらを付与することができ、人の微小な動きでも人感センサ１２から検知信号を発生させることを可能にしている。
【００３５】
ところで、保持時間設定部１３、明るさ設定スイッチ１５、モード切換スイッチ１８の各操作部は、カバー３０の前面に形成された凹所３６の底面に形成された露出孔３６ａ、３６ｂ、３６ｃを通してカバー３０の前面側に露出する（図ではモード切換スイッチ１８の操作部１８ａのみを示している）。カバー３０には凹所３６の開口面を覆う位置と凹所３６を開放した状態でカバー３０に収納される位置との間で開閉する扉体３７が取り付けられる。つまり、扉体３７の両側部には軸ピン３７ａが突設され、凹所３６からカバー３０の内側に連続するガイド溝３７ｂに軸ピン３７ａが係合しており、扉体３７が凹所３６を開放した状態では扉体３７をガイド溝３７ｂに沿ってカバー３０内に収納することができるようにしてある。扉体３７には切欠部３７ｃが形成され、扉体３７により凹所３６を覆う状態でもモード切換スイッチ１８の操作部１８ａは扉体３７から露出して操作可能となる。つまり、使用頻度の少ない保持時間設定部１３や明るさ設定スイッチ１５が不用意に操作されることがないように扉体３７で覆うことができ、使用頻度が高いモード切換スイッチ１８については扉体３７を開くことなく操作することができる。
【００３６】
上述したように、本実施形態において用いる器体１は、埋込型の配線器具に用いる取付枠に結合されるから、埋込型の配線器具と同様に壁面に一部を埋め込んだ形で施工されるのであって、トイレ室の壁面に器体１を取り付けることができる。つまり、比較的広いトイレ室であってもトイレ室の全体をカバーするような検知エリアを設定することが可能になり、従来のような天井に取り付けられる形態のものだけではなく、壁面に取り付ける形態のものも提供することによって、トイレ室の形態に適した熱線式自動スイッチを選択することが可能になる。
【００３７】
（第２の実施の形態）
本実施形態は、人感センサ１２を備える子器２を天井に取り付ける形態とし、スイッチ要素（開閉部１６，１７）などの他の構成を備える親器３を壁面に取り付ける形態としたものである。親器３と子器２とは２線式の信号線Ｌｓを介して親器３の接続端子Ｓ４に接続され、子器２で人が検知されると親器３によって照明負荷および換気扇を制御するようになっている。ここに、本実施形態において用いる回路は、図８に示すように、図２に示した第１の実施の形態の構成から明るさセンサ１４を省略し、明るさセンサ１４の省略に伴って明るさ設定スイッチ１５も省略した構成となっている。この構成は主としてビル内のトイレで使用することを想定しているから、明るさセンサ１４が不要になっている。
【００３８】
子器２の器体４は、図６に示すように、上面が開放されたボディ６０と下面が開放されたカバー７０とを結合して形成される。ボディ６０の下端には外形形状が円形であるフランジ部６１が連続一体に形成され、ボディ６０の上縁には上方に向かって４本の組立片６２が突設されている。各組立片６２にはカバー７０の外側面に突設した組立爪７１が挿入される係合孔６２ａが形成され、組立爪７１と組立片６２とが凹凸係合することによってボディ６０とカバー７０とが結合される。
【００３９】
ボディ６０の中央部には円形の露出窓６３が開口する。露出窓６３には可動体８０が一部をボディ６０の下面側に露出させ、かつボディ６０に対して回動可能となるように装着されている。可動体８０は、半球状に形成された回転枠８１と、フレネルレンズよりなる半球状のレンズ８２とを結合することにより球状に形成され、回転枠８１には円環状の回転枠８３が取着されている。回転枠８１の外周面には一対の軸ピン８１ａが突設され、両軸ピン８１ａはボディ６０の露出窓６３の周縁に形成された断面コ字状の一対のガイドリブ６４に挿入するようになっている。ガイドリブ６４は露出窓６３の開口縁から上方に延長されており、したがって軸ピン８１ａは、ガイドリブ６４の延長方向に沿っての上下移動と軸ピン８１ａの回りでの回転移動とが可能になる。この構成によって、可動体８０はボディ６０に対して回転自在になるのであり、レンズ８２がボディ６０の下面から露出する。
【００４０】
回転枠８１の上面には環状突部８１ｂが突設され、環状突部８１ｂの内側には支持棒８５の下端部が当接する。支持棒８５はボディ６０に固定された押さえ金具８６に対して上下移動が可能であって、コイルばね８７によって下向きに付勢されている。押さえ金具８６は両端部が固定ねじ８８によってボディ６０に固定される。したがって、可動体８０は回転枠８３を露出窓６３の開口周縁に当接させた形で露出窓６３と支持棒８５との間に挟持されることになる。可動体８０を回転させるときには、可動体８０を押し上げて可動体８０を露出窓６３から離せばよい。支持棒８５には上方に向かって係止爪８５ａが突設されるとともにガイドピン８５ｂが突設されており、これらを押さえ金具８６に挿通することによって、支持棒８５およびコイルばね８７が押さえ金具８６に保持される。
【００４１】
人感センサ１２は可動体８０に収納される回路基板８４に実装され、レンズ８２を通して入射する熱線を受光する。レンズ８２は熱線が透過しやすい材料（高密度ポリエチレン）によって形成されており、以下に説明する形状を有している。
【００４２】
レンズ８２は、図９に示すように、それぞれフレネルレンズよりなる多数個のレンズ小体８８ａ〜８８ｃの集合体であるレンズ部８２ａと、回転枠８３の内周面に沿って配置される保持枠部８２ｂとを備え、保持枠部８２ｂの上部周面には回転枠８３の内周面に係合する係止突起８２ｃが突設されるとともに、保持枠部８２ｂから上方には回転枠８１の内周面に係合する位置決め突起８２ｄが突設されている。レンズ小体８８ａ〜８８ｃは３重円状に配列され、もっとも内側の円内には４個のレンズ小体８８ａ、次に大きい円内には８個のレンズ小体８８ｂ、もっとも外側の円内には１２個のレンズ小体８８ｃが形成されている。各円内のレンズ小体８８ａ〜８８ｃはそれぞれ同形状に形成されており、したがって、各レンズ小体８８ａ〜８８ｃの光軸とレンズ小体８８ａ〜８８ｃとの交点（以下では光軸中心という）Ａ〜Ｃは、周方向に等ピッチで並ぶことになる。すなわち、レンズ小体８８ａの光軸中心Ａは４５°間隔、レンズ小体８８ｂの光軸中心Ｂは２２．５°間隔、レンズ小体８８ｃの光軸中心Ｃは１５°間隔になる。
【００４３】
各レンズ小体８８ａ〜８８ｃは光軸が１点で交差するように配列されており、この交点Ｐ付近に人感センサ１２を構成する微分形のセンサ素子としての焦電形赤外線センサ１２ａが配置される。レンズ８２の中心と交点Ｐとを結ぶ直線（つまり、レンズ８２の中心線）に対して各レンズ小体８８ａ〜８８ｃの光軸中心Ａ〜Ｃと交点Ｐとを結ぶ直線（つまり、各レンズ小体８８ａ〜８８ｃの光軸）とがなす角度は、図９（ｂ）〜（ｄ）に示すように、それぞれ８．３７°、１８．２°、３４．８°に設定されている。つまり、レンズ８２の中心側のほうが周辺側よりもレンズ小体８８ａ〜８８ｃの光軸間の開き角度が小さくなっている。なお、レンズ小体８８ａ〜８８ｃを配列している円の外径はそれぞれ６．５５ｍｍ、１３．４６ｍｍ、２０ｍｍに設定してあり、レンズ小体８８ａ〜８８ｃの厚みはそれぞれ０．８ｍｍ、１．１ｍｍ、１．１ｍｍに設定してある。
【００４４】
上述のように構成したレンズ８２を用いることにより形成される検知エリアを模式的に示すと図１０のようになる。図１０（ａ）は各レンズ小体８８ａ〜８８ｃについて最大感度付近になる範囲をビーム状の範囲Ｂａ〜Ｂｃとして示している。また、図１０（ｂ）には熱線式人感センサの取付面から２ｍ下方での各レンズ小体８８ａ〜８８ｃについての最大感度付近の分布を示している。ここで、熱線センサ１には４エレメント型（つまり、焦電形赤外線センサのセンサエレメントを１つのキャン内で正方形の頂点位置に４個配列した形）のものを用いている。したがって、図１０（ｂ）には、検知領域内で各レンズ小体８８ａ〜８８ｃに対応する領域内で感度がほぼ最大になる部位を４個の四角で表している。図より明らかなように、熱線式人感センサの直下付近では各レンズ小体８８ａ〜８８ｃについて最大感度付近となる部位の間隔が周辺部よりも狭くなる。
【００４５】
したがって、トイレにおいては便座の上方に熱線式人感センサを配置しておけば、便座に座っている人の微小な動きをレンズ小体８８ａ，８８ｂを通して受光する熱線により検出することができ、トイレに出入りする人の動きはレンズ小体８８ｃを通して受光する熱線により検出することができる。つまり、検知エリア内の各領域で熱線センサ１が出力を発生するために必要な人の動きの大きさを変化させることができ、たとえば便座付近では０．２〜０．５ｍ／ｓ程度の速度で移動するだけで人を検出し、便座から離れた部位では０．３〜１ｍ／ｓ程度の速度で移動しなければ人を検出しないようにすることができる。なお、レンズ８２の構成は図９に示すものに限定されるものではなく、レンズ小体の配置の粗密は適宜に設定可能である。
【００４６】
ところで、フランジ部６１には天井材に直付けしたり埋込ボックスに結合するときに用いる取付ねじ（図示せず）が挿通される長孔状の一対の取付孔６５が開口し、取付孔６５とは異なる部位には取付金具９０をフランジ部６１に装着する取付溝６６および取付金具９０に設けた引締ねじ９２を回転操作するための挿通孔６７が形成される。取付金具９０は、一側面に切欠部９０ａが形成された柱状の金具本体９１と、金具本体９１に挿通される引締ねじ９２と、引締ねじ９２に螺合し金具本体９１に沿って上下方向に移動可能となった挟み板９３とで構成されている。金具本体９１の下端部には取付溝６６に嵌着される固定片９４が設けられる。
【００４７】
したがって、埋込ボックスを用いる場合には、天井に形成した埋込孔にボディ６０の上部を挿入した形でフランジ部６１の上面を天井面に当接させ、取付孔６５に挿通される取付ねじを埋込ボックスに螺合させればよい。また、天井材に直付けする場合も同様であって、フランジ部６１の上面を天井面に当接させた状態で、取付孔６５に挿通された取付ねじ（木ねじを用いる）を天井材に螺合させればよい。一方、取付金具９０を用いる場合には、取付金具９０をフランジ部６１に固定し、挟み板９３を金具本体９１の切欠部９０ａに挿入した状態で天井に形成した埋込孔にボディ６０の上部を挿入し、挿通孔６７を通してドライバを挿入し引締ねじ９２を締め付ければよい。この操作によって挟み板９３は切欠部９０ａから出てフランジ部６１に近付くように移動し、フランジ部６１と挟み板９３との間で天井板を挟持し、器体４を天井に固定することができる。
【００４８】
フランジ部６１の下面側は可動体８０のレンズ８２を露出させる開口窓６８を有する化粧プレート６９により覆われる。化粧プレート６９はフランジ部６１の周縁に係合するように形成され、フランジ部６１に対して着脱可能になっている。
【００４９】
ところで、カバー７０の上面には端子板７２に端子ねじ７３を螺合させた２個の端子が露出する。端子板７２は回路基板８４に接続線７７を介して接続された基板８９に接続線７８を介して接続され、両端子板７２の間はカバー７０の上面に突設した隔壁７４により仕切られている。回路基板８９は固定ねじ７９を用いてボディ６０に固定される。また、カバー７０の上面には端子の周囲に４本の支持リブ７５ａ，７５ｂが突設され、支持リブ７５ａ，７５ｂには端子カバー７６が取着される。すなわち、２本の支持リブ７５ａの先端部には軸孔７５ｃが形成され、他方の２本の支持リブ７５ｂの先端部には突片７５ｄが突設されているのであって、端子カバー７６の一端部両側縁に形成された引掛片７６ａを軸孔７５ｃに挿入し、端子カバー７６の他端部を突片７５ｄにより係止することで、端子を覆うように端子カバー７６をカバー７０に取り付けるようになっている。端子カバー７０は可撓性を有しており、突片７５ｄによる係止状態を解除すれば、軸孔７５ｃの回りで端子カバー７６を回転させて端子を露出させることができる。
【００５０】
上述の構成を有する子器２を天井に取り付けるにあたって、埋込ボックスを用いる場合には、天井に形成した埋込孔にボディ６０の上部を挿入した形でフランジ部６１の上面を天井面に当接させ、取付孔６５に挿通される取付ねじを埋込ボックスに螺合させればよい。また、天井材に直付けする場合も同様であって、フランジ部６１の上面を天井面に当接させた状態で、取付孔６５に挿通された取付ねじ（木ねじを用いる）を天井材に螺合させればよい。一方、取付金具９０を用いる場合には、取付金具９０をフランジ部６１に固定し、挟み板９３を金具本体９１の切欠部９０ａに挿入した状態で天井に形成した埋込孔にボディ６０の上部を挿入し、挿通孔６７を通してドライバを挿入し引締ねじ９２を締め付ければよい。この操作によって挟み板９３は切欠部９０ａから出てフランジ部６１に近付くように移動し、フランジ部６１と挟み板９３との間で天井板を挟持し、器体４を天井に固定することができる。
【００５１】
一方、親器３は図７に示す外観を有する。この親器３はＪＩＳ規格で規格化されている大角形連用配線器具の取付枠１００に取り付けることができる器体５を有している。すなわち、図７（ｄ）のように器体５の両側面には取付爪１１１が突設され、器体５の前端部を取付枠１００の開口窓１０１に挿入した状態で、取付爪１１１を取付枠１００に設けた保持孔１０２，１０３に係合させることによって、取付枠１００に結合されるようになっている。また、器体５は、単位寸法（いわゆる１個モジュール寸法）の配線器具の６個分（図７（ａ）の縦方向に３個、横方向に２個並べた寸法）に相当する寸法を有した２連モジュール寸法（つまり、縦３個分を１連として２列分という意味で２連モジュール寸法と呼ぶ）に形成されている。取付枠１００において図７（ａ）の右側の保持孔１０３は、開口窓１０１を囲む側枠１０４と、側枠１０４に対して左右方向に可撓である可撓枠１０５との間の隙間に形成されており、この隙間にマイナスドライバなどを挿入して可撓枠１０５を撓ませると取付爪１１１と保持孔１０３との係合状態を解除して器体５を取付枠１００から外すことができるようになっている。
【００５２】
取付枠１００の上下両端部には長孔状の取付孔１０６が形成され、取付枠１０６の近傍には引掛孔１０７およびねじ孔１０８が形成されている。取付孔１０６は壁面に直付けしたり埋込ボックスに取り付ける際に取付ねじを挿通する孔であり、引掛孔１０７は挟み金具の一端部を引っ掛けるために設けられている。挟み金具は取付枠１００に一端部が枢支され、他端部と取付枠１００との間に壁材を挟持する金具であって、取付孔１０６に挿通した引締ねじを挟み金具に螺合させることによって、挟み金具の他端部と取付枠１００との距離を変えることができるようになっている。また、取付枠１００の前面側を覆う化粧プレート（図示せず）をねじで取り付けるときには、そのねじをねじ孔１０８に螺合させるようになっている。
【００５３】
親器３の器体５の前面にはモード切換スイッチ１８の操作部１８ｂ，１８ｃが露出する。ただし、モード切換スイッチ１８は３個の押釦スイッチを用いて構成されており、器体５の前面における左半分に自動モードを選択する操作部１８ｂと、切モードを選択する操作部１８ｃとが上下に並んで配置される。器体５の前面の右半分には扉体１１２が設けられ、扉体１１２を開くと入モードを選択する操作部が露出するようになっている。また、点灯保持時間設定部１３の操作部も扉体１１２を開くことによって露出させることができる。
【００５４】
器体５の裏面には信号線Ｌｓ（図８参照）を介して子器２を接続するためのねじ付きの端子１１３が２組設けられ、信号線Ｌｓを送り配線することができるようになっている。また、電源端子Ｓ１、照明負荷を接続する出力端子Ｓ２、換気扇を接続する接続端子Ｓ３、子器２への信号線Ｌｓを接続する接続端子Ｓ４も器体５の裏面側に設けられる。電源端子Ｓ１、出力端子Ｓ２，Ｓ３、接続端子Ｓ４はいずれも鎖錠ばねを用いて電線を鎖錠接続する速結端子構造を有している。つまり、器体５の裏面には電線を導入するための電線挿通孔１１４と解除釦を操作するための釦操作孔１１５が形成されている。速結端子構造については第１の実施の形態で説明しているのでここでは説明を省略する。速結端子構造の端子を用いる場合には、電線の芯線の露出寸法が鎖錠接続の強度に影響するから、器体５の裏面には電線の芯線の露出寸法の目安となる溝状のゲージ１１６が形成されている。このゲージゲージ１１６に電線の端部を当てれば電線の芯線の露出量を確認することができる。
【００５５】
上述したように、スイッチ要素（開閉部１６，１７）を内蔵した親器３はトイレ室の壁面に取り付けられ、人感センサ１２を内蔵した子器２はトイレ室の天井面に取り付けられるのであって、壁面に取り付けられる親器３にモード切換スイッチ１８や点灯保持時間設定部１３を設けていることによって、自動モードだけではなく照明負荷や換気扇を使用者が操作することも可能になり、使い勝手が向上する。また、入モードの操作部については扉体１１２で隠していることにより、照明負荷や換気扇の切り忘れの可能性が低減されており、切り忘れによる電力の無駄な消費を抑制するという効果を維持することができる。
【００５６】
【発明の効果】
請求項１の発明は、入射する熱線量の時間変化に応じた出力を発生する微分形のセンサ素子を有し人体から放射される熱線を検知することにより人の存否を検出する人感センサを備えトイレ室の天井に取り付けられる子器と、子器に信号線を介して接続されトイレ室の壁面に取り付けられる親器とを備え、親器には人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素と、照明負荷と換気扇との少なくとも一方の制御状態を操作する操作部とが設けられ、子器が、センサ素子の前方に配置され検知エリア内の各領域ごとの熱線をセンサ素子に収束させる多数個のレンズ小体の集合体からなるレンズを備え、隣接する各一対のレンズ小体の光軸同士の開き角度がレンズの一部の領域で残りの領域よりも小さく設定されているものであり、人感センサを備える子器と照明負荷および換気扇を制御する親器とを信号線を介して接続し、子器を天井に取り付けるとともに親器を壁面に取り付けるようにしているから、天井に取り付けた子器によってトイレ室内の広い範囲にわたって人の存否を検出することができ、また壁面に取り付ける親器に照明負荷や換気扇の制御状態を操作する操作部を設けることによって、操作部を容易に操作することができる。さらに、レンズ小体の光軸同士の開き角度が小さい領域では人がわずかに動くだけでもセンサ素子に入射する熱線量に変化が生じて人の存在を検知することが可能になる。しかも、他の部位では人が比較的大きく動くときに熱線量に変化が生じるから、人の動きの大きさが異なっていても熱線量の変化を同程度にすることができる。その結果、センサ素子からの出力とノイズとの識別が容易になるとともに、レンズ小体の個数が必要以上に多くなることはなく比較的低コストで提供することが可能である。
【００６０】
請求項２の発明は、請求項１の発明において、前記レンズがセンサ素子の受光面を囲む半球状に形成され、隣接する各一対のレンズ小体の光軸同士の開き角度が、センサ素子の受光面の前方であるレンズの中心部付近の領域ではレンズの周辺部付近である他の領域よりも小さく設定されているものであり、トイレ室において便座の上方に配置すれば、トイレ室に入退室する人の比較的大きな移動を検出することができるとともに、便座に着座している人の微小な動きを検出することができ、トイレ室の使用中に照明負荷が不用意に消灯してしまうのを防止することができる。
【００６１】
請求項３の発明は、人体から放射される熱線を検知することにより人の存否を検出する人感センサを備えトイレ室の天井に取り付けられる子器と、子器に信号線を介して接続されトイレ室の壁面に取り付けられる親器とを備え、親器には人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素と、照明負荷と換気扇との少なくとも一方の制御状態を操作する操作部とが設けられ、第１のスイッチ要素が照明負荷である白熱灯への給電経路に挿入された半導体スイッチ素子よりなり、制御手段が、照明負荷の点灯開始時に時間経過に伴って光出力を漸増させるように第１のスイッチ要素を制御するものであり、人感センサを備える子器と照明負荷および換気扇を制御する親器とを信号線を介して接続し、子器を天井に取り付けるとともに親器を壁面に取り付けるようにしているから、天井に取り付けた子器によってトイレ室内の広い範囲にわたって人の存否を検出することができ、また壁面に取り付ける親器に照明負荷や換気扇の制御状態を操作する操作部を設けることによって、操作部を容易に操作することができる。さらに、白熱灯を用いているから光出力の立ち上がりが蛍光灯よりも速く、しかも、光出力を時間経過に伴って漸増させるように制御しているから、白熱灯の点灯時に生じる突入電流を抑制して白熱灯や第１のスイッチ要素にかかるストレスを低減することができる。その結果、白熱灯および構成部品の寿命が長くなる。
【００６３】
請求項４の発明は、人体から放射される熱線を検知することにより人の存否を検出する人感センサと、人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素とを、トイレ室の壁面に取り付けられる器体内に備え、第１のスイッチ要素が照明負荷である白熱灯への給電経路に挿入された半導体スイッチ素子よりなり、制御手段が、照明負荷の点灯開始時に時間経過に伴って光出力を漸増させるように第１のスイッチ要素を制御するものであり、天井面に器体を取り付けるよりも壁面に取り付けるほうが人の入退室を検知しやすいような形状のトイレ室に適した熱線式自動スイッチを提供することができる。また、白熱灯を用いているから光出力の立ち上がりが蛍光灯よりも速く、しかも、光出力を時間経過に伴って漸増させるように制御しているから、白熱灯の点灯時に生じる突入電流を抑制して白熱灯や第１のスイッチ要素にかかるストレスを低減することができる。その結果、白熱灯および構成部品の寿命が長くなる。
【００６４】
請求項５の発明は、人体から放射される熱線を検知することにより人の存否を検出する人感センサと、人感センサの出力によりトイレ室内への人の入室および退室を検出するとともに人の入退室に応じて照明負荷を制御する照明制御信号および換気扇を制御する換気扇制御信号を出力する制御手段と、照明制御信号と換気扇制御信号とによりそれぞれ開閉制御される第１および第２のスイッチ要素とを、トイレ室の壁面に取り付けられる器体内に備え、第１のスイッチ要素が照明負荷である白熱灯への給電経路に挿入された半導体スイッチ素子よりなり、制御手段が、人感センサによりトイレ室内への人の入室が検出された後に人の検出されない状態が規定の点灯保持時間に達するまでの期間は照明負荷を点灯させる照明制御信号を出力し、点灯保持時間の満了前に照明負荷の消灯を予告する減光期間を有するように第１のスイッチ要素を制御するものであり、天井面に器体を取り付けるよりも壁面に取り付けるほうが人の入退室を検知しやすいような形状のトイレ室に適した熱線式自動スイッチを提供することができる。また、白熱灯を用いているから光出力の立ち上がりが蛍光灯よりも速く、しかも、点灯保持時間の満了前に照明負荷を減光させることによって消灯を予告するから、照明負荷の点灯状態を継続したい使用者は動くことによって照明負荷の点灯状態を延長することができる。つまり、使用者の気づかないうちに点灯保持時間が経過して照明負荷が不意に消灯するのを防止することができる。
【図面の簡単な説明】
【図１】本発明の第１の実施の形態を示す分解斜視図である。
【図２】同上のブロック図である。
【図３】同上の動作説明図である。
【図４】同上の動作説明図である。
【図５】同上の動作説明図である。
【図６】本発明の第２の実施の形態における子器を示す分解斜視図である。
【図７】同上における親器を示し、（ａ）は正面図、（ｂ）は側面図、（ｃ）は下面図、（ｄ）は取付枠を外した背面図である。
【図８】同上のブロック図である。
【図９】同上に用いるレンズを示し、（ａ）は平面図、（ｂ）はレンズ小体Ａの中心を通る断面図、（ｃ）はレンズ小体Ｂの中心を通る断面図、（ｄ）はレンズ小体Ｃの中心を通る断面図である。
【図１０】図９に示したレンズを用いた場合の動作説明図である。
【符号の説明】
１  器体
２  子器
３  親器
４，５  器体
１０  マイコン
１０ａ  タイマ
１２  人感センサ
１２ａ  焦電形赤外線センサ
１６，１７  開閉部
１８ｂ，１８ｃ  操作部
３２  取付爪
４１，４２  回路基板
８２  レンズ
８８ａ〜８８ｃ  レンズ小体
１００  取付枠
【図１】
0003591389.tif 000002
【図２】
0003591389.tif 000003
【図３】
0003591389.tif 000004
【図４】
0003591389.tif 000005
【図５】
0003591389.tif 000006
【図６】
0003591389.tif 000007
【図７】
0003591389.tif 000008
【図８】
0003591389.tif 000009
【図９】
0003591389.tif 000010
【図１０】
0003591389.tif 000011